(57)【要約】【課題】  サムターンの容易な不正操作が困難になるとともに、施解錠状態の確認が可能な防犯サムターンを提供する。【解決手段】  扉屋内面１７から突出され錠箱１１のカム板１３に連結されるとともに鍵穴３９を有する連結軸１９と、連結軸１９に着脱自在な摘み部材２１とを備える。摘み部材２１は、連結軸１９に着脱自在に外嵌する嵌合筒４５と、嵌合筒４５の外周及び前端を覆って回転自在とされる摘み４７とを有する。摘み４７には、連結軸１９の鍵穴３９に係合して相対回転を不能にする合鍵４１が設けられ、摘み４７と嵌合筒４５とには係脱手段６３が設けられ互いの相対回転を不能とし回転規制する。係脱手段６３には、摘み４７の外周面に表出するボタン６９を備え、ボタン６９が押下されることで、嵌合筒４５に対する摘み４７の回転規制が解除され、摘み４７による錠箱１１への施解錠回転操作力の入力を可能とする。【選択図】      図１
2006336448.tif 000002
【特許請求の範囲】
【請求項１】
扉屋内面から突出され錠箱の施解錠入力部材に連結されるとともに軸側係合部を有する連結軸と、該連結軸に着脱自在な摘み部材とを備え、
前記摘み部材は、前記連結軸に着脱自在に外嵌する嵌合筒と、該嵌合筒の外周及び前端を覆って回転自在とされる略有底筒状の摘みとを有し、
前記摘みには、前記連結軸の軸側係合部に係合して前記連結軸との相対回転を不能にする筒側係合部が前記嵌合筒に周囲を覆われるように設けられ、
前記摘みと前記嵌合筒とには係脱手段が設けられ互いの相対回転を不能とし回転規制するとともに、該係脱手段には、前記摘みの外周面に押下自在に表出するボタンを備え、該ボタンが押下されることで、前記嵌合筒に対する前記摘みの回転規制が解除され、前記摘みによる前記錠箱への施解錠回転操作力の入力を可能とすることを特徴とする防犯サムターン。
【請求項２】
扉屋内面から突出され錠箱の施解錠入力部材に連結されるとともに軸側係合部を有する連結軸と、
前記連結軸の外周を覆う外装筒と、
前記連結軸の軸側係合部に係合して前記連結軸との相対回転を不能にする筒側係合部を有し、前記外装筒に着脱自在に外嵌し、該外装筒の外周及び前端を覆って回転自在とされる略有底筒状に形成される摘みと、
を備え、
前記摘みと前記外装筒には係脱手段が設けられ、前記外装筒に対する着脱時の係脱を可能とするとともに、前記外装筒との互いの相対回転を不能とし回転規制を行い、該係脱手段には、前記摘みの外周面に押下自在に表出するボタンを備え、該ボタンが押下されることで、前記外装筒に対する前記摘みの回転規制が解除され、前記摘みによる前記錠箱への施解錠回転操作力の入力を可能とすることを特徴とする防犯サムターン。
【請求項３】
前記連結軸の前記軸側係合部がシリンダ錠の鍵穴であり、
前記摘みの筒側係合部が前記シリンダ錠の合鍵であることを特徴とする請求項１又は２記載の防犯サムターン。
【請求項４】
屋内側に露出する前記摘みの端面に、該摘みの回転位置を視認可能とする標示手段が設けられていることを特徴とする請求項１，２，３のいずれか１つに記載の防犯サムターン。
【発明の詳細な説明】
【技術分野】
【０００１】  本発明は、扉の屋内面に突出させた摘みを覆うことにより、錠箱に対する不正な解錠操作力の入力を阻止する防犯サムターンに関する。
【背景技術】
【０００２】  マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。【０００３】  この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【特許文献１】  特公平２−１５７１５号公報  （第１図ｂ，第１図ｃ）
【発明の開示】
【発明が解決しようとする課題】
【０００４】  しかしながら、近年、ポスト口や、機械工具によって開けた小さな穴から棒や針金等を挿入し、回転操作の容易なサムターンに係止して回転させ、施錠装置を解錠する不正解錠が増えている。【０００５】  また、小穴から挿入された棒や針金等によって、サムターンが不正操作できないようにするため、サムターンを取外し可能とした脱着式の防犯型サムターンも提案されているが、サムターンを取外した場合、摘みの回転位置が認識し難くなり、施解錠状態が確認できなくなる問題があった。このため、施錠から解錠、或いは解錠から施錠への操作予測が困難となり、誤操作を生じさせ、操作性を低下させた。【０００６】  本発明は上記状況に鑑みてなされたもので、サムターンの容易な不正操作が困難になるとともに、施解錠状態の確認が可能な防犯サムターンを提供し、もって、防犯性の向上、操作性の低下防止を図ることを目的とする
【課題を解決するための手段】
【０００７】  次に、上記の課題を解決するための手段を、実施の形態に対応する図面を参照して説明する。
本発明の請求項１記載の防犯サムターン１００は、扉屋内面１７から突出され錠箱１１の施解錠入力部材１３に連結されるとともに軸側係合部３９を有する連結軸１９と、該連結軸１９に着脱自在な摘み部材２１とを備え、
前記摘み部材２１は、前記連結軸１９に着脱自在に外嵌する嵌合筒４５と、該嵌合筒４５の外周及び前端を覆って回転自在とされる略有底筒状の摘み４７とを有し、
前記摘み４７には、前記連結軸１９の軸側係合部３９に係合して前記連結軸１９との相対回転を不能にする筒側係合部４１が前記嵌合筒４５に周囲を覆われるように設けられ、
前記摘み４７と前記嵌合筒４５とには係脱手段６３が設けられ互いの相対回転を不能とし回転規制するとともに、該係脱手段６３には、前記摘み４７の外周面に押下自在に表出するボタン６９を備え、該ボタン６９が押下されることで、前記嵌合筒４５に対する前記摘み４７の回転規制が解除され、前記摘み４７による前記錠箱１１への施解錠回転操作力の入力を可能とすることを特徴とする。【０００８】  この防犯サムターン１００では、扉屋内面１７から突出する連結軸１９に摘み部材２１が装着された状態では、摘み部材２１の嵌合筒４５外周に設けた摘み４７が係脱手段６３により互いが係合状態となって回転不能となる。また、施解錠操作時には、ボタン６９を押下操作した後に、回転操作されることで、摘み４７が嵌合筒４５に対して相対回転することとなり、これにより摘み４７の操作を連結軸１９に伝え、施解錠入力部材１３が作動する。さらに、外出時、就寝時等、頻繁なサムターン操作を行わない場合には、摘み部材２１が連結軸１９から取り外されることにより、扉屋内面１７から連結軸１９のみが突出状態となる。【０００９】  請求項２記載の防犯サムターン２００は、扉屋内面１７から突出され錠箱１１の施解錠入力部材１３に連結されるとともに軸側係合部３９を有する連結軸１９と、
前記連結軸１９の外周を覆う外装筒５５と、
前記連結軸１９の軸側係合部３９に係合して前記連結軸１９との相対回転を不能にする筒側係合部４１を有し、前記外装筒５５に着脱自在に外嵌し、該外装筒５５の外周及び前端を覆って回転自在とされる略有底筒状に形成される摘み４７と、
を備え、
前記摘み４７と前記外装筒５５には係脱手段６３が設けられ、前記外装筒５５に対する着脱時の係脱を可能とするとともに、前記外装筒５５との互いの相対回転を不能とし回転規制を行い、該係脱手段６３には、前記摘み４７の外周面に押下自在に表出するボタン６９を備え、該ボタン６９が押下されることで、前記外装筒５５に対する前記摘み４７の回転規制が解除され、前記摘み４７による前記錠箱１１への施解錠回転操作力の入力を可能とすることを特徴とする。【００１０】  この防犯サムターン２００では、扉屋内面１７から突出する外装筒５５に摘み４７が装着された状態では、係脱手段６３により摘み４７が回転不能となる。また、施解錠操作時には、ボタン６９を押下操作した後に、回転操作されることで、摘み４７が外装筒５５に対して相対回転することとなり、これにより摘み４７の操作を連結軸１９に伝え、施解錠入力部材１３が作動する。さらに、外出時、就寝時等、頻繁なサムターン操作を行わない場合には、摘み４７が外装筒５５から取り外されることにより、扉屋内面１７から外装筒５５のみが突出状態となる。【００１１】  請求項３記載の防犯サムターン１００（２００）は、前記連結軸１９の前記軸側係合部３９がシリンダ錠の鍵穴であり、
前記摘み４７の筒側係合部４１が前記シリンダ錠の合鍵であることを特徴とする。【００１２】  この防犯サムターン１００（２００）では、摘み部材２１（摘み４７）が取り外されると、錠箱１１側の連結軸１９はシリンダ錠の鍵穴３９のみが表出することとなり、このシリンダ錠に適合する合鍵４１のみでしか回動操作が行えなくなる。【００１３】  請求項４記載の防犯サムターン１００（２００）は、屋内側に露出する前記摘み４７の端面４７ａに、該摘み４７の回転位置を視認可能とする標示手段６１が設けられていることを特徴とする。【００１４】  この防犯サムターン１００（２００）では、摘み部材２１の回転位置、すなわち、サムターンとしての施解錠位置が標示手段６１の視認によって容易に把握可能となる。
【発明の効果】
【００１５】  本発明に係る請求項１記載の防犯サムターンによれば、扉屋内面から突出する連結軸に摘み部材が装着された状態では、摘み部材の嵌合筒外周に設けた摘みが係脱手段により互いが係合状態となって回転不能となり、小穴等から挿入された針金や棒等による摘みを介した錠箱への施解錠操作力の入力を阻止することができる。また、施解錠操作時には、ボタンを押下操作した後に、回転操作することで、摘みが嵌合筒に対して相対回転可能することとなり、摘みの回動操作によって連結軸を介して錠箱へ施解錠操作力を入力することができる。すなわち、摘む操作と略同等のボタンの押下、そして、摘みを回す、という、比較的容易な操作によって従来同様の施解錠操作が可能となる。また、外出時、就寝時等、頻繁なサムターン操作を行わない場合には、摘み部材を連結軸から取り外すことにより、扉屋内面から連結軸のみを突出させた状態とし、小穴等から挿入された針金や棒等による回転操作を不能にし、防犯性を一層高めることができる。【００１６】  請求項２記載の防犯サムターンによれば、扉屋内面から突出する外装筒に摘みが装着された状態では、係脱手段により摘みが回転不能となり、小穴等から挿入された針金や棒等による摘みを介した錠箱への施解錠操作力の入力を阻止することができる。また、施解錠操作時には、ボタンを押下操作した後に、回転操作されることで、摘みが外装筒に対して相対回転することとなり、摘みの回動操作によって連結軸を介して錠箱へ施解錠操作力を入力することができる。すなわち、摘む操作と略同等のボタンの押下、そして、摘みを回す、という、比較的容易な操作によって従来同様の施解錠操作が可能となる。さらに、外出時、就寝時等、頻繁なサムターン操作を行わない場合には、摘みが外装筒から取り外されることにより、扉屋内面から外装筒のみが突出状態とされ、小穴等から挿入された針金や棒等による回転操作を不能にし、防犯性を一層高めることができる。【００１７】  請求項３記載の防犯サムターンによれば、連結軸の軸側係合部がシリンダ錠であり、摘みの筒側係合部が合鍵であるので、摘み部材或いは摘みを取り外した場合には、連結軸にシリンダ錠の鍵穴のみが表出することとなり、このシリンダ錠に適合する合鍵のみでの回動が可能、すなわち、その合鍵を備えた摘み部材或いは摘みのみでの回動が可能となるので、摘み部材又は摘みを取り外した状態での防犯性を一層高めることができる。【００１８】  請求項４記載の防犯サムターンによれば、屋内側へ露出する摘みの端面に、摘みの回転位置を視認可能とする標示手段を設けたので、摘み部材又は摘みの回転位置、すなわち、施解錠位置を容易に視認することができ、施錠から解錠、或いは解錠から施錠への操作予測が容易となり、操作性を向上させることができる。
【発明を実施するための最良の形態】
【００１９】  以下、本発明に係る防犯サムターンの好適な実施の形態を図面を参照して詳細に説明する。
図１は本発明に係る防犯サムターンの縦断面図を（ａ）に摘み部材の横断面図を（ｂ）に示した説明図、図２は摘み部材の分解断面図、図３は摘み部材の外観斜視図、図４は摘み部材の正面断面図である。
本実施の形態による防犯サムターン１００は、錠箱１１の施解錠入力部材であるカム板１３に連結され、扉１５の屋内面１７から突出される連結軸１９と、この連結軸１９に着脱自在となる摘み部材２１とを主要な構成部材としてなる。【００２０】  なお、錠箱１１は、扉１５に内蔵されるもの、或いは扉１５の屋内面１７に突出して取り付けられるもののいずれであってもよい。本実施の形態では、扉１５の屋内面１７に突出して取り付けられる錠箱１１、所謂面付け錠を例に説明する。【００２１】  錠箱１１の取り付けられた扉１５の屋外面２３には、屋外側シリンダ錠２５が取り付けられている。屋外側シリンダ錠２５は、扉１５を貫通し、回動出力軸２５ａが錠箱１１内の施解錠機構２７の屋外側入力部材２９に連結される。【００２２】  連結軸１９は、錠箱１１に固定される外筒３１と、この外筒３１に回動自在に内設される内筒３３とからなる。内筒３３と外筒３１とには、タンブラ３７が配設されている。このタンブラ３７は、軸線方向に複数組内設されている。なお、これらタンブラ３７は、スライド型や揺動型などで構成され、図示した形状に限定されることはない。
内筒３３と外筒３１とは、その境界がシアーライン３５となる。内筒３３は、鍵穴３９に後述の合鍵４１が挿入されることで、タンブラ３７がシアーライン３５に一致して回転自在となる。つまり、外筒３１と内筒３３とは、シリンダ錠を構成している。また、内筒３３の鍵穴３９は、軸側係合部となっている。【００２３】  内筒３３には、鍵穴３９と反対側の端面に、連結部材４３を介して上記のカム板１３が固定されている。錠箱１１の施解錠機構２７は、屋外側シリンダ錠２５又は連結軸１９のいずれか一方の施錠回転操作力によって図示しないデッドボルトを突出させ、屋外側シリンダ錠２５又は連結軸１９のいずれか一方の解錠回転操作力によって図示しない突出させたデッドボルトを錠箱１１内へと後退させる。【００２４】  摘み部材２１は、連結軸１９に着脱自在に外嵌する嵌合筒４５と、この嵌合筒４５の外周に回転自在な摘み４７とを備える。図２に示すように、嵌合筒４５は円筒状に形成され、先端側開口部分が小径に形成されて、その内周面４５ａには凹溝４４ａが形成されている。また、嵌合筒４５の先端側外周には、後述する係脱手段６３を構成する係合凹部４６が形成されている。本実施の形態では中心に対し１８０°の間隔で２カ所形成されている。また、図２に示すように、有底円筒状に形成された摘み４７の内部には、軸状凸部４８が形成され、この軸状凸部４８に筒側係合部である合鍵４１が軸線方向に固着される。軸状凸部４８は、嵌合筒４５の先端側の小径な開口部分に挿着され、その外周面には前記凹溝４４ａに対向する凹溝４４ｂが形成されている。この外周面と嵌合筒内周面との各凹溝４４ａ，４４ｂ間にはリング部材５１が介設され、軸線方向に脱落せず互いに相対回転自在とされ連結される。なお、合鍵４１は、上記シリンダ錠に対してタンブラ３７をシアーライン３５に一致させるキーである。【００２５】  摘み４７の先端側には後述する係脱手段６３を構成する操作部材６５を取り付けるための略溝状の取付孔４９が貫通形成されている。【００２６】  摘み４７の端面４７ａ略中央には、図３に示すように、標示手段６１が設けられる。標示手段６１は、摘み４７の直径方向に長い線状マーク部材とすることができる。この標示手段６１は、摘み４７と異なる色、例えば蛍光色などとして視認性を高める、さらには蓄光材料等にて構成されること、及び、摘み４７の表面に対して凹凸のない構成が好ましい。このように、標示手段６１は、屋内側に露出する摘み４７の端面に設けられることで、摘み４７の回転位置、すなわち摘み４７内の合鍵４１の向きを視認可能としている。【００２７】  摘み４７と嵌合筒４５とには、係脱手段６３が設けられている。本実施の形態では、係脱手段６３は、図１に示すように、摘み４７に設けられる一対の操作部材６５と、嵌合筒４５の外周に形成した係合凹部４６とからなる。操作部材６３は、図４に示すように、長手方向が弓状に湾曲形成されて、略中間に支軸６７が設けられ、摘み４７の取付孔４９に支軸６７を中心に揺動自在となるように取り付けられている。操作部材６５は、一端に湾曲外方へ突出するボタン６９が形成され、他端に湾曲内方へ突出する係合凸部７１が形成され、略Ｚ字状に形成されている。操作部材６３の一端には、バネ部７３を有しており、本実施の形態では、支軸６７を中心としてボタン６９の押圧に抗する付勢力を発生するようになっている。【００２８】  なお、操作部材６３は、摘み４７に取り付けられた状態で、湾曲内面の曲率が嵌合筒４５の外周面に略沿うよう形成され、湾曲外面の曲率が摘み４７の外周面に略沿うように形成されており、すなわち、摘み４７の厚みに対応した形状となっているとともに、その厚みから、ボタン６９と係合凸部７１が摘み４７の厚み方向で表裏に突出するようになっている。摘み４７に取り付けられた状態では、操作部材６３の湾曲内面が嵌合筒４５の外周面に当接することとなる。そして、バネ部７３の付勢力に抗してボタン６９を押下することによって、操作部材６３は、支軸６７を中心に取付孔４９内で揺動し、係合凸部７１が嵌合筒４５の係合凹部４６から退出して、これにより、嵌合筒４５に対して摘み４７が相対回転可能となる。本実施の形態では、操作部材６３は一対で構成され、摘み４７の外周面に各ボタン６９が表出位置し、突出するようになっている。【００２９】  次に、このように構成された防犯サムターン１００の作用を説明する。
通常時、防犯サムターン１００は、連結軸１９に、摘み部材２１が装着された状態となる。すなわち、嵌合筒４５に周囲を覆われた合鍵４１が、連結軸１９の鍵穴３９へ挿入された状態で、摘み部材２１が連結軸１９に装着されている。なお、この装着状態では、嵌合筒４５と連結軸１９とは、相対回転不能な状態である。この状態で、摘み４７は、各操作部材６５の係合凸部７１が嵌合筒４５の係合凹部４６に進入し係合状態とされ、すなわち、係脱手段６３にて互いが係合している。したがって、摘み部材２１は、回転操作しようとしても、摘み４７が回転せず、連結軸１９を介して錠箱１１へ回転操作力を入力することができない。【００３０】  一方、図５に示すように、摘み４７の外周面から突出する操作部材６５のボタン６９を押し込むように押下すると、支軸６７を中心に、操作部材６５が揺動し、係合凸部７１が係合凹部４６から脱することとなる。これにより、ボタン６９を押下した状態で、摘み４７は、嵌合筒４５に対して相対回転が可能となり、摘み４７に加えられた回転操作力が、連結軸１９へ伝達される（図６参照）。このとき、摘み４７内の合鍵４１がシリンダ錠に対応しており、連結軸１９の内筒３３が回転することとなる。なお、本実施の形態では、ボタン６９が一対で構成されており、同時に押下させなければ摘み４７の回転が行えないようになっている。これにより、連結軸１９、連結部材４３を介してカム板１３が回転され、錠箱１１の施解錠機構２７が操作可能となる。【００３１】  また、外出時、就寝時等、サムターン操作が頻繁に必要とならない場合には、摘み部材２１は、連結軸１９から取り外されて他の場所で保管される。これにより、防犯サムターン１００は、扉１５の屋内面１７から連結軸１９のみが露出することとなる。連結軸１９は、シリンダ錠となっているため、内筒３３の鍵穴３９に適合する合鍵４１のみでしか操作が行えず、小穴等から挿入された針金や棒等による不正な施解錠操作が不能となる。特に、操作部材６５を一対で構成し、ボタン６９を２つで構成したことから、一方のボタン６９の操作のみでは回転操作へと移行できず、両ボタン６９を同時に押し込む操作を必要とすることからも、不正操作を防ぐこととなる。【００３２】  このように、防犯サムターン１００は、防犯性の必要程度に応じて、摘み部材２１を装着状態、或いは取り外し状態にすることが可能となる。【００３３】  したがって、この防犯サムターン１００によれば、扉１５の屋内面１７から突出する連結軸１９に摘み部材２１が装着された状態では、摘み部材２１の嵌合筒外周に設けた摘み４７が回転不能となり、小穴等から挿入された針金や棒等による摘み４７を介した錠箱１１への施解錠操作力の入力を阻止することができる。【００３４】  また、施解錠操作時には、摘み４７に設けられたボタン６９を押し込むように押下することで、摘み４７は係合凸部７１と係合凹部４６とが外れ、そして回転操作が可能となり、摘み４７の回動操作によって連結軸１９を介して錠箱１１へ施解錠操作力を入力することができる。【００３５】  すなわち、ボタン６９を押す、摘み４７を回す、の２つの比較的容易な操作によって従来同様の施解錠操作が可能となる。特に本実施の形態では、対となる２つのボタン６９で構成したことで、摘み４７を摘む操作で係脱手段６３の解除が行われるので、施解錠の操作が容易なものとなる。また、外出時、就寝時等、頻繁なサムターン操作を行わない場合には、摘み部材２１を連結軸１９から取り外すことにより、扉屋内面１７から連結軸１９のみを突出させた状態とし、小穴等から挿入された針金や棒等による回転操作を不能にし、防犯性を一層高めることができる。【００３６】  また、連結軸１９の軸側係合部がシリンダ錠であり、摘み４７の筒側係合部が合鍵４１であるので、摘み部材２１を取り外した場合には、連結軸１９にシリンダ錠の鍵穴３９のみが表出することとなり、このシリンダ錠に適合する合鍵４１のみでしか回動が可能、すなわちその合鍵４１を備えた摘み部材２１のみでしか回動が可能とならないので、摘み部材２１を取り外した状態での防犯性を一層高めることができる。【００３７】  さらに、屋内側へ露出する摘み４７の端面４７ａに、摘み４７の回転位置を視認可能とする標示手段６１を設けたので、摘み部材２１の回転位置、すなわち、施解錠位置を容易に視認することができ、施錠から解錠、或いは解錠から施錠への操作予測が容易となり、操作性を向上させることができる。【００３８】  次に、本発明に係る防犯サムターンの他の実施の形態を説明する。
図７は本発明に係る防犯サムターンの縦断面図を（ａ）に摘みの横断面図を（ｂ）に示した説明図、図８は摘みの一部拡大断面図である。なお、図１〜図６に示した部材と同一の部材には同一の符号を付し、重複する説明は省略するものとする。
この実施の形態による防犯サムターン２００は、連結軸１９の外周に、上記実施形態における嵌合筒４５と略同等の構成の外装筒５５が設けられており、この外装筒５５が連結軸１９の外筒３１に対して取り外し不能に固設され、外装筒５５に対して摘み４７が脱着自在な構成とされる。また、外装筒５５と摘み４７とは、外装筒５５の先端側の小径な開口部分に対して摘み４７の軸状凸部４８が、リング部材５１を介して取り付けられる構成とされ、このリング部材５１を例えばバネ性を有したＣリングとすることで、両部材の対向する凹溝４４ａ，４４ｂに対して着脱が容易なものとなる。なお、図７においては、リング部材５１が、摘み４７の軸状凸部４８に取り付けられた状態を示しており、外装筒５５に対して摘み４７を引き抜くように取り外すことで、リング部材５１のバネ性により、互いの係脱が行われるようになっている。【００３９】  また、係脱手段６３を構成する操作部材６５の係合凸部７１先端は、図８に示すように、一対の傾斜面７１ａが形成されている。これら傾斜面７１ａは、操作部材６５の厚み方向の両側面、すなわち摘み４７の軸線方向と同方向の面に形成されている。【００４０】  次に、この防犯サムターン２００の作用を説明する。
通常時、防犯サムターン２００は、外装筒５５に、摘み４７が装着された状態となる。すなわち、摘み４７内の合鍵４１が、連結軸１９の鍵穴３９へ挿入された状態で、摘み４７が外装筒５５に外周と前端とを覆って装着されている。この状態で、摘み４７は、各操作部材６５の係合凸部７１が外装筒５５の係合凹部４６に進入し係合状態とされ、すなわち、係脱手段６３にて互いが係合している。したがって、摘み４７は、回転操作しようとしても、摘み４７が回転せず、連結軸１９を介して錠箱１１へ回転操作力を入力することができない。【００４１】  一方、摘み４７の外周面から突出する操作部材６５のボタン６９を押し込むように押下すると（図５参照）、支軸６７を中心に、操作部材６５が揺動し、係合凸部７１が係合凹部４６から脱することとなる。これにより、ボタン６９を押下した状態で、摘み４７は、外装筒５５に対して相対回転が可能となり、外装筒５５の外周を回転して摘み４７に加えられた回転操作力が、連結軸１９へ伝達される。このとき、摘み４７内の合鍵４１がシリンダ錠に対応しており、連結軸１９の内筒３３が回転することとなる。なお、本実施の形態では、ボタン６９が一対で構成されており、同時に押下させなければ摘み４７の回転が行えないようになっている。これにより、連結軸１９、連結部材４３を介してカム板１３が回転され、錠箱１１の施解錠機構２７が操作可能となる。【００４２】  また、外出時、就寝時等、サムターン操作が頻繁に必要とならない場合には、摘み４７は、外装筒５５から取り外されて他の場所で保管される。これにより、防犯サムターン２００は、扉１５の屋内面１７から外装筒５５のみが露出することとなる。この外装筒５５内の連結軸１９は、シリンダ錠となっているため、内筒３３の鍵穴３９に適合する合鍵４１のみでしか操作が行えず、小穴等から挿入された針金や棒等による不正な施解錠操作が不能となる。【００４３】  このように、防犯サムターン２００は、防犯性の必要程度に応じて、摘み４７を装着状態、或いは取り外し状態にすることが可能となる。
なお、この実施の形態の防犯サムターン２００では、操作部材６５の係合凸部７１の先端に傾斜面７１ａを有していることから、摘み４７の外装筒５５への装着、及び外装筒５５からの摘み４７の取り外し時に、ボタン６９を押下することなく、係合凹部４６から手前側の間でその傾斜面７１ａによって係合凸部７１が後退方向に滑り、外装筒５５の係合凹部４６への係合及び離脱が、容易なものとなる。【００４４】  したがって、この防犯サムターン２００によれば、扉１５の屋内面１７から突出する外装筒５５に摘み４７が装着された状態では、摘み４７が回転不能となり、小穴等から挿入された針金や棒等による摘み４７を介した錠箱１１への施解錠操作力の入力を阻止することができる。【００４５】  また、施解錠操作時には、摘み４７に設けられたボタン６９を押し込むように押下することで、摘み４７は係合凸部７１と係合凹部４６とが外れ、そして回転操作が可能となり、摘み４７の回動操作によって連結軸１９を介して錠箱１１へ施解錠操作力を入力することができる。【００４６】  すなわち、ボタン６９を押す、摘み４７を回す、の２つの比較的容易な操作によって従来同様の施解錠操作が可能となる。特に本実施の形態では、対となる２つのボタン６９で構成したことで、摘み４７を摘む操作で係脱手段６３の解除が行われるので、施解錠の操作が容易なものとなる。また、外出時、就寝時等、頻繁なサムターン操作を行わない場合には、摘み４７を外装筒４７から取り外すことにより、扉屋内面１７から外装筒５５のみを突出させた状態とし、小穴等から挿入された針金や棒等による連結軸１９のシリンダ錠の回転操作を不能にし、防犯性を一層高めることができる。【００４７】  また、連結軸１９の軸側係合部がシリンダ錠であり、摘み４７の筒側係合部が合鍵４１であるので、摘み４７を取り外した場合には、連結軸１９にシリンダ錠の鍵穴３９のみが表出することとなり、このシリンダ錠に適合する合鍵４１のみでしか回動が可能、すなわちその合鍵４１を備えた摘み４７のみでしか回動が可能とならないので、摘み４７を取り外した状態での防犯性を一層高めることができる。特にこの実施の形態では、鍵穴３９の位置が、外装筒５５の開口からさらに奥方に位置することとなり、不正な操作が行い難くなり防犯性が向上する。【００４８】  なお、操作部材６５の係合凸部７１の先端形状は、上述のような傾斜面７１ａを備えた構成としなくとも良く、その場合は、外装筒５５に対する摘み４７の脱着の際に、操作部材６５のボタン６９を押下した状態とする。このような係合凸部７１を備えた構造とすることで、摘み４７は、外装筒５５に対してボタン６９の操作が行われることで脱着されることとなり、摘み４７を外装筒５５に取り付けた状態では、容易に摘み４７が脱落することがなくなり、サムターン操作が頻繁な場合に、この摘み４７を取り付けたままの状態で使用することが可能となる。【００４９】  また、本実施の形態では、連結軸１９の軸側係合部がシリンダ錠であり、摘み４７の筒側係合部がシリンダ錠の合鍵４１である場合を例に説明したが、この他、軸側係合部は、工具等による容易な回動が行いにくい形状の凹部、例えば十字形や星型、多角形とし、筒側係合部をこの凹部に嵌合する所定形状の突起など、互いが嵌合し合う凹凸形状として構成してもよい。このような構造を採用することにより、シリンダ錠や合鍵を用いる構成より製品コストを安価にすることができる。【００５０】  さらに、上述の実施の形態では、摘み部材２１を連結軸１９に取り付ける際、或いは摘み４７を外装筒５５に取り付ける際に、その取り付けの方向について、特に示していないが、連結軸１９或いは外装筒５５の外表面に印を付し、また摘み部材２１或いは摘み４７の外表面に印を付して、双方を合せた位置を挿着位置とする目印、例えば三角印をを設けることで、摘み部材２１或いは摘み４７の取り付けが行い易く、取り扱いが容易なものとなる。【００５１】  また、上述の実施の形態では、係脱手段６３のボタン６９が摘み４７の外表面より突出した例を示しているが、この外周表面と同一面上に形成されることとしてもよい。例えば、摘む操作を行うことで、弾性変形を起こして凹み、ボタン押下と同様となり、これによって係脱手段６３の解除が行われて回転可能となるような構成としてもよい。
【図面の簡単な説明】
【００５２】
【図１】  本発明に係る防犯サムターンの一実施の形態の縦断面図を（ａ）に、摘みの横断面図を（ｂ）に示した説明図である。
【図２】  摘み部材の分解断面図である。
【図３】  摘み部材の外観斜視図である。
【図４】  摘み部材の正面断面図である。
【図５】  摘み部材の動作状態を示す正面断面図である。
【図６】  摘み部材の動作状態を示す外観斜視図である。
【図７】  本発明に係る防犯サムターンの他の実施の形態の縦断面図を（ａ）に摘みの横断面図を（ｂ）に示した説明図である。
【図８】  摘みの一部拡大断面図である。
【符号の説明】
【００５３】１１…錠箱
１３…施解錠入力部材（カム板）
１５…扉
１７…屋内面
１９…連結軸
２１…摘み部材
２３…屋外面
３９…軸側係合部（鍵穴）
４１…筒側係合部（合鍵）
４５…嵌合筒
４７…摘み
４７ａ…端面
５５…外装筒
６１…標示手段
６３…係合手段
６９…ボタン
１００，２００…防犯サムターン
【図１】
2006336448.tif 000003
【図２】
2006336448.tif 000004
【図３】
2006336448.tif 000005
【図４】
2006336448.tif 000006
【図５】
2006336448.tif 000007
【図６】
2006336448.tif 000008
【図７】
2006336448.tif 000009
【図８】
2006336448.tif 000010